(57)【要約】【課題】特定の帳票種類の組み合わせパターンに応じて、異なる処理を行うイメージ処理装置を提供する。【解決手段】帳票のイメージデータから帳票の種類を識別する帳票識別部１１ｅと、保存が必要であると判定された各イメージデータを記憶部に保存させる画像管理部１１ｆとを有し、画像管理部は、画像入力装置から複数枚の帳票のおもて面及びうら面のいずれか一方又は双方のイメージデータが連続して取得される場合に、帳票識別部による識別結果から、特定の帳票種類の組み合わせパターンの出現を検知し、特定の帳票種類の組み合わせパターンに応じて、各イメージデータの保存の要否を判定する。【選択図】図３
2012043008.tif 000002
【特許請求の範囲】
【請求項１】
画像入力装置から取得される帳票のイメージデータを用いて任意の処理を行うイメージ処理装置において、
前記帳票のイメージデータから帳票の種類を識別する帳票識別部と、
保存が必要であると判定された各イメージデータを記憶部に保存させる画像管理部とを有し、
前記画像管理部は、前記画像入力装置から複数枚の帳票のおもて面及びうら面のいずれか一方又は双方のイメージデータが連続して取得される場合に、前記帳票識別部による識別結果から、特定の帳票種類の組み合わせパターンの出現を検知し、特定の帳票種類の組み合わせパターンに応じて、各イメージデータの保存の要否を判定する
ことを特徴とするイメージ処理装置。
【請求項２】
請求項１に記載のイメージ処理装置において、
さらに、前記特定の帳票種類の組み合わせパターンに応じて各イメージデータの保存の要否を設定するイメージ保管要否情報を予め記憶するイメージ保管要否情報記憶部と、
前記帳票識別部による識別結果を管理テーブル情報として記憶する管理テーブル記憶部とを有しており、
前記画像管理部は、前記管理テーブル記憶部に記憶された前記管理テーブル情報から特定の帳票種類の組み合わせパターンの出現を検知し、前記イメージ保管要否情報記憶部に記憶された前記イメージ保管要否情報に基づいて、検知された特定の帳票種類の組み合わせパターンに応じて、各イメージデータの保存の要否を判定する
ことを特徴とするイメージ処理装置。
【請求項３】
画像入力装置から取得される帳票のイメージデータを用いて任意の処理を行うイメージ処理装置において、
前記帳票のイメージデータから帳票の種類を識別する帳票識別部と、
実行中の処理を次に実行すべき後続処理に切り替える画像管理部とを有し、
前記画像管理部は、前記画像入力装置から複数枚の帳票のおもて面及びうら面のいずれか一方又は双方のイメージデータが連続して取得される場合に、前記帳票識別部による識別結果から、特定の帳票種類の組み合わせパターンの出現を検知し、特定の帳票種類の組み合わせパターンに応じて、前記後続処理を選択し、実行中の処理を当該後続処理に切り替える
ことを特徴とするイメージ処理装置。
【請求項４】
請求項３に記載のイメージ処理装置において、
さらに、前記特定の帳票種類の組み合わせパターンに応じて前記後続処理を規定する後続処理設定情報を予め記憶する後続処理設定記憶部と、
前記帳票識別部による識別結果を管理テーブル情報として記憶する管理テーブル記憶部とを有しており、
前記画像管理部は、前記管理テーブル記憶部に記憶された前記管理テーブル情報から特定の帳票種類の組み合わせパターンの出現を検知し、前記後続処理設定記憶部に記憶された前記後続処理設定情報に基づいて、検知された特定の帳票種類の組み合わせパターンに応じて、前記後続処理を選択する
ことを特徴とするイメージ処理装置。
【請求項５】
コンピュータを、画像入力装置から取得される帳票のイメージデータを用いて任意の処理を行うイメージ処理装置として機能させるプログラムであって、
前記コンピュータを、
前記帳票のイメージデータから帳票の種類を識別する帳票識別部と、
前記画像入力装置から複数枚の帳票のおもて面及びうら面のいずれか一方又は双方のイメージデータが連続して取得される場合に、前記帳票識別部による識別結果から、特定の帳票種類の組み合わせパターンの出現を検知し、特定の帳票種類の組み合わせパターンに応じて、各イメージデータの保存の要否を判定して、保存が必要であると判定された各イメージデータを記憶部に保存させる画像管理部として機能させる
ことを特徴とするプログラム。
【請求項６】
コンピュータを、画像入力装置から取得される帳票のイメージデータを用いて任意の処理を行うイメージ処理装置として機能させるプログラムであって、
前記コンピュータを、
前記帳票のイメージデータから帳票の種類を識別する帳票識別部と、
前記画像入力装置から複数枚の帳票のおもて面及びうら面のいずれか一方又は双方のイメージデータが連続して取得される場合に、前記帳票識別部による識別結果から、特定の帳票種類の組み合わせパターンの出現を検知し、特定の帳票種類の組み合わせパターンに応じて、次に実行すべき後続処理を選択し、実行中の処理を当該後続処理に切り替える画像管理部として機能させる
ことを特徴とするプログラム。
【発明の詳細な説明】
【技術分野】
【０００１】
本発明は、帳票のイメージデータを用いて任意の処理を行うイメージ処理装置、及び、当該イメージ処理装置を実現するプログラムに関する。
【背景技術】
【０００２】
例えば、銀行や金融公庫、信用金庫、消費者金融事業者、保険会社、証券会社等の金融機関は、パーソナルコンピュータ（ＰＣ）を、イメージ処理装置として利用している。
【０００３】
イメージ処理装置は、各種の帳票のイメージデータに対して任意の処理を行う装置である。イメージ処理装置は、例えば、スキャナ等の画像入力装置に接続されており、画像入力装置から各種の帳票のイメージデータを取得する。
【０００４】
イメージ処理装置は、画像入力装置から各種の帳票のイメージデータを取得すると、取得された各イメージデータを記憶部に一時的に記憶した後、各イメージデータに対して、主帳票とその主帳票に添付された帳票（以下、「添付帳票」と称する）とで「束」を区切ったり、各イメージデータの保存（不揮発な状態での記憶）の要否を一律に判定し、保存が必要であると判定された各イメージデータを帳票データベースに保存したりする。以下、「束」を区切る動作を「束切り」と称する。「束切り」では、イメージ処理装置は、主帳票のイメージデータが取得されると、その主帳票のイメージデータと、その主帳票のイメージデータが取得されてから次の主帳票のイメージデータが取得されるまでの間に取得される１乃至複数の添付帳票のイメージデータとを、１組の帳票バッチとして区切る。
【０００５】
そのイメージ処理装置に関する技術として、例えば特許文献１には、画像入力装置から、主帳票とその主帳票に添付された１乃至複数の添付帳票とからなる帳票バッチのイメージデータを、複数バッチ分連続して取得する場合に、（１）帳票に記載されたマーク（例えば「■」又は「□」）に応じて、帳票のイメージデータの保存の要否を判定するイメージ処理装置（以下、「従来の第１イメージ処理装置」と称する）や、（２）帳票種類に関連付けて帳票データベースに保管する帳票イメージデータを規定するイメージ保管要否情報（図９参照）が予め記憶部に記憶されており、そのイメージ保管要否情報に基づいて帳票のイメージデータの保存の要否を判定するイメージ処理装置（以下、「従来の第２イメージ処理装置」と称する）が開示されている。
【０００６】
なお、図９は、従来用いられているイメージ保管要否情報の一例を示す図である。図９に示す例では、イメージ保管要否情報は、以下の（１）及び（２）の情報を含んでいる。
（１）処理対象帳票の種類が「主帳票Ａ」である場合に、主帳票Ａのおもて面のイメージデータと、後続のｎ枚の添付帳票のすべてのおもて面のイメージデータとを保存する、という情報。
（２）処理対象帳票の種類が「主帳票Ｓ」である場合に、（添付帳票のイメージデータを保存せずに、）主帳票Ｓのおもて面のイメージデータと、主帳票Ｓのうら面のイメージデータとを保存する、という情報。
【０００７】
従来の第２イメージ処理装置は、画像入力装置から複数枚の帳票のイメージデータを連続して取得した場合に、このイメージ保管要否情報に基づいて、主帳票毎に、主帳票の種類に応じて、各イメージデータの保存の要否を判定し、保存が必要であると判定された各イメージデータを帳票データベースに保存する。
【先行技術文献】
【特許文献】
【０００８】
【特許文献１】特開２００９−３０１４４１号公報（段落２１、段落２４〜３７、図３、図５）
【発明の概要】
【発明が解決しようとする課題】
【０００９】
しかしながら、特許文献１に開示された従来の第１イメージ処理装置（帳票に記載されたマークに応じて帳票のイメージデータの保存の要否を判定するイメージ処理装置）は、（１）ユーザが帳票に記載されたマークの適否を目視でチェックする必要があるため、ユーザに負担を強いるとともに、（２）万一、マークの記載が誤っていた場合に、帳票を作成し直す必要がある、という課題があった。
【００１０】
また、特許文献１に開示された従来の第２イメージ処理装置（イメージ保管要否情報に応じて帳票のイメージデータの保存の要否を判定するイメージ処理装置）は、主帳票毎に、主帳票の種類に応じて、主帳票及び添付帳票のそれぞれのおもて面及びうら面のイメージデータの保存の要否を一律に判定するため、保存パターンが固定されており、保存パターンの自由度が低い、という課題があった。
【００１１】
つまり、従来の第２イメージ処理装置は、主帳票と添付帳票との組み合わせパターンに応じて、保存パターンを変えることができなかった。例えば、イメージデータの保存では、「主帳票Ａ＋添付帳票Ｂ」の組み合わせと「主帳票Ａ＋添付帳票Ｃ」の組み合わせとのように、添付帳票の種類が異なる場合に、その添付帳票の種類に応じて、異なる保存パターンで各帳票のおもて面及びうら面のイメージデータを帳票データベースに保存することが望まれる場合があるが、従来の第２イメージ処理装置は、このようなイメージデータの保存を行うことができなかった。
【００１２】
この点について、図１０Ａ〜図１０Ｃを参照して説明する。図１０Ａ〜図１０Ｃは、従来の第２イメージ処理装置の課題を説明するための図である。図１０Ａは、従来の第２イメージ処理装置によって行われるイメージデータの保存パターンを示しており、図１０Ｂ及び図１０Ｃは、従来の第２イメージ処理装置によって行うことができなかったイメージデータの保存パターンを示している。なお、図１０Ａ〜図１０Ｃに示す例では、主帳票はハッチングが付された状態で示されており、一方、添付帳票はハッチングが付されていない状態で示されている。
【００１３】
図１０Ａに示すように、従来の第２イメージ処理装置は、例えば、欄ＣＬ９１及び欄ＣＬ９２に示す順で、画像入力装置から各処理対象の帳票のおもて面及びうら面のイメージデータを取得する。図１０Ａに示す例では、従来の第２イメージ処理装置は、１枚の主帳票Ａと、その主帳票Ａに添付された２枚の添付帳票ａ１，ａ２と、これらに続く、１枚の主帳票Ｓとを、処理対象の帳票とし、各帳票のイメージデータを取得している。
【００１４】
従来の第２イメージ処理装置は、各イメージデータを取得すると、図１０Ａの欄ＣＬ９３に示すように、束切りを行ったり、記憶部に予め記憶されたイメージ保管要否情報に基づいて、主帳票毎に、主帳票の種類に応じて、各イメージデータの保存の要否を一律に判定し、保存が必要であると判定された各イメージデータを帳票データベースに保存したりする。なお、図１０Ａの欄ＣＬ９３に示す例では、束切りの結果が、主帳票Ａのおもて面のイメージデータと添付帳票ａ１，ａ２のおもて面のイメージデータとの組を「束ｂｕ１」とし、主帳票Ｓのおもて面及びうら面のイメージデータの組を「束ｂｕ２」として示されている。また、図１０Ａの欄ＣＬ９３に示す例では、イメージデータの保存の要否（「画像保存要否」）の判定結果が、「要」の場合に「○」とし、「不要」の場合に「−」として示されている。このイメージデータの保存の要否（「画像保存要否」）の判定結果の「○」及び「−」のパターンが、各イメージデータの「保存パターン」を表している。
【００１５】
これに対して、従来の第２イメージ処理装置は、例えば、図１０Ｂの欄ＣＬ９４又は図１０Ｃの欄ＣＬ９５に示すような保存パターンで各イメージデータを帳票データベースに保存するようなことができなかった。なお、図１０Ｂの欄ＣＬ９４及び図１０Ｃの欄ＣＬ９５は、帳票の組み合わせが特定の組み合わせになっている場合に、帳票データベースに保存する必要があるイメージデータの保存パターンを示している。
【００１６】
例えば、図１０Ｂに示す例では、従来の第２イメージ処理装置は、１枚の主帳票Ａと、その主帳票Ａに添付された２枚の添付帳票ａ１，ａ２と、これらに続く、１枚の主帳票Ｓとを、処理対象の帳票とし、各帳票のイメージデータを取得している。ただし、２枚の添付帳票ａ１，ａ２のうち、添付帳票ａ１は、種類をＢ種とする帳票ｂ１となっている。図１０Ｂの欄ＣＬ９４は、帳票の組み合わせが主帳票Ａと添付帳票ｂ１とになっている場合に、主帳票Ａのおもて面のイメージデータと添付帳票ｂ１のおもて面及びうら面の双方のイメージデータとを、帳票データベースに保存する必要があり、主帳票Ａのうら面のイメージデータと添付帳票ａ２のおもて面及びうら面の双方のイメージデータとを、帳票データベースに保存する必要がないことを示している。
【００１７】
また、例えば、図１０Ｃに示す例では、従来の第２イメージ処理装置は、１枚の主帳票Ａと、その主帳票Ａに添付された２枚の添付帳票ａ１，ａ２と、これらに続く、１枚の主帳票Ｓとを、処理対象の帳票とし、各帳票のイメージデータを取得している。ただし、２枚の添付帳票ａ１，ａ２のうち、添付帳票ａ１は、種類をＣ種とする帳票ｃ１となっている。図１０Ｃの欄ＣＬ９５は、帳票の組み合わせが主帳票Ａと添付帳票ｃ１とになっている場合に、主帳票Ａのおもて面のイメージデータと添付帳票ｃ１のおもて面のイメージデータと添付帳票ａ２のおもて面及びうら面の双方のイメージデータとを、帳票データベースに保存する必要があり、主帳票Ａのうら面のイメージデータと添付帳票ｃ１のおもて面のイメージデータとを、帳票データベースに保存する必要がないことを示している。
【００１８】
しかしながら、従来の第２イメージ処理装置は、主帳票毎に、主帳票の種類に応じて、主帳票及び添付帳票のそれぞれのおもて面及びうら面のイメージデータの保存の要否を一律に判定するため、図１０Ｂの欄ＣＬ９３又は図１０Ｃの欄ＣＬ９３に示す保存パターンで、各イメージデータを帳票データベースに保存する。
【００１９】
したがって、従来の第２イメージ処理装置は、図１０Ｂの欄ＣＬ９４又は図１０Ｃの欄ＣＬ９５に示すような保存パターンで各イメージデータを帳票データベースに保存するようなことができなかった。
【００２０】
本発明は、前記した課題を解決するためになされたものであり、特定の帳票種類の組み合わせパターンに応じて、異なる処理を行うイメージ処理装置、及び、当該イメージ処理装置を実現するプログラムを提供することを主な目的とする。
【００２１】
例えば、本発明は、画像入力装置から複数枚の帳票のイメージデータを連続して取得する場合に、特定の帳票種類の組み合わせパターンに応じて、各イメージデータの保存パターンを変更し、これによって、効率の良いイメージデータの保存を行うイメージ処理装置を提供することを目的とする。
【００２２】
また、例えば、本発明は、画像入力装置から複数枚の帳票のイメージデータを連続して取得する場合に、特定の帳票種類の組み合わせパターンに応じて、各種アプリケーションプログラムによって実行される後続処理を選択して、実行中の処理を後続処理に切り替えることにより、効率の良い事務処理を行うイメージ処理装置を提供することを目的とする。
【課題を解決するための手段】
【００２３】
前記目的を達成するため、第１発明は、画像入力装置から取得される帳票のイメージデータを用いて任意の処理を行うイメージ処理装置であって、前記帳票のイメージデータから帳票の種類を識別する帳票識別部と、保存が必要であると判定された各イメージデータを記憶部に保存させる画像管理部とを有し、前記画像管理部は、前記画像入力装置から複数枚の帳票のおもて面及びうら面のいずれか一方又は双方のイメージデータが連続して取得される場合に、前記帳票識別部による識別結果から、特定の帳票種類の組み合わせパターンの出現を検知し、特定の帳票種類の組み合わせパターンに応じて、各イメージデータの保存の要否を判定する構成とする。
このイメージ処理装置は、特定の帳票種類の組み合わせパターンに基づいて、各イメージデータの保存の要否を判定し、保存が必要であると判定された各イメージデータを記憶部に保存させることができる。
【００２４】
また、第２発明は、画像入力装置から取得される帳票のイメージデータを用いて任意の処理を行うイメージ処理装置であって、前記帳票のイメージデータから帳票の種類を識別する帳票識別部と、実行中の処理を次に実行すべき後続処理に切り替える画像管理部とを有し、前記画像管理部は、前記画像入力装置から複数枚の帳票のおもて面及びうら面のいずれか一方又は双方のイメージデータが連続して取得される場合に、前記帳票識別部による識別結果から、特定の帳票種類の組み合わせパターンの出現を検知し、特定の帳票種類の組み合わせパターンに応じて、前記後続処理を選択し、実行中の処理を当該後続処理に切り替える構成とする。
このイメージ処理装置は、特定の帳票種類の組み合わせパターンに基づいて、次に実行すべき後続処理を選択し、実行中の処理を当該後続処理に切り替えることができる。
【００２５】
また、第３発明は、コンピュータを、画像入力装置から取得される帳票のイメージデータを用いて任意の処理を行うイメージ処理装置として機能させるプログラムであって、前記コンピュータを、前記帳票のイメージデータから帳票の種類を識別する帳票識別部と、前記画像入力装置から複数枚の帳票のおもて面及びうら面のいずれか一方又は双方のイメージデータが連続して取得される場合に、前記帳票識別部による識別結果から、特定の帳票種類の組み合わせパターンの出現を検知し、特定の帳票種類の組み合わせパターンに応じて、各イメージデータの保存の要否を判定して、保存が必要であると判定された各イメージデータを記憶部に保存させる画像管理部として機能させる構成とする。
第３発明のプログラムは、第１発明に係るイメージ処理装置を実現することができる。
【００２６】
また、第４発明は、コンピュータを、画像入力装置から取得される帳票のイメージデータを用いて任意の処理を行うイメージ処理装置として機能させるプログラムであって、前記コンピュータを、前記帳票のイメージデータから帳票の種類を識別する帳票識別部と、前記画像入力装置から複数枚の帳票のおもて面及びうら面のいずれか一方又は双方のイメージデータが連続して取得される場合に、前記帳票識別部による識別結果から、特定の帳票種類の組み合わせパターンの出現を検知し、特定の帳票種類の組み合わせパターンに応じて、次に実行すべき後続処理を選択し、実行中の処理を当該後続処理に切り替える画像管理部として機能させる構成とする。
第４発明のプログラムは、第２発明に係るイメージ処理装置を実現することができる。
【発明の効果】
【００２７】
第１発明によれば、特定の帳票種類の組み合わせパターンに基づいて、各イメージデータの保存の要否を判定し、保存が必要であると判定された各イメージデータを記憶部に保存させるイメージ処理装置を提供することができる。
第２発明によれば、特定の帳票種類の組み合わせパターンに基づいて、次に実行すべき後続処理を選択し、実行中の処理を当該後続処理に切り替えるイメージ処理装置を提供することができる。
また、第３発明によれば、第１発明に係るイメージ処理装置を実現するプログラムを提供することができる。
また、第４発明によれば、第２発明に係るイメージ処理装置を実現するプログラムを提供することができる。
【図面の簡単な説明】
【００２８】
【図１】実施形態１に係るイメージ処理装置を含むイメージ処理システム全体の構成を示す図である。
【図２】実施形態１に係るイメージ処理装置の構成を示す図（１）である。
【図３】実施形態１に係るイメージ処理装置の構成を示す図（２）である。
【図４】実施形態１に用いる管理テーブル情報の一例を示す図である。
【図５】実施形態１に用いるイメージ保管要否情報の一例を示す図である。
【図６Ａ】実施形態１に係るイメージ処理装置の動作を示すフローチャート（１）である。
【図６Ｂ】実施形態１に係るイメージ処理装置の動作を示すフローチャート（２）である。
【図７】実施形態２に係るイメージ処理装置の構成を示す図である。
【図８】実施形態２に用いる後続処理設定情報の一例を示す図である。
【図９】従来用いられているイメージ保管要否情報の一例を示す図である。
【図１０Ａ】従来のイメージ処理装置の課題を示す図（１）である。
【図１０Ｂ】従来のイメージ処理装置の課題を示す図（２）である。
【図１０Ｃ】従来のイメージ処理装置の課題を示す図（３）である。
【発明を実施するための形態】
【００２９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００３０】
［実施形態１］
＜イメージ処理装置の構成＞
（イメージ処理装置を含むイメージ処理システム全体の構成）
以下、図１を参照して、本実施形態１に係るイメージ処理装置の構成につき説明する。なお、図１は、実施形態１に係るイメージ処理装置を含むイメージ処理システム全体の構成を示す図である。
【００３１】
図１に示すように、本実施形態１に係るイメージ処理装置２は、画像入力装置３、サーバ５、及び、帳票データベース６とともに、イメージ処理システム１を構成している。ここでは、イメージ処理システム１は、銀行や金融公庫、信用金庫、消費者金融事業者、保険会社、証券会社等の金融機関に設置されており、金融業務で用いられている各種の帳票（図３参照）のイメージデータを保存したり、帳票のイメージデータを用いて予め定められた任意の処理を行ったりするために用いられるものとして、説明する。なお、ここでは、「保存」とは、データを不揮発な状態で記憶手段に記憶する動作を意味している。
【００３２】
イメージ処理装置２は、帳票のイメージデータに対して予め定められた任意の処理を行う装置である。ここでは、イメージ処理装置２として、パーソナルコンピュータ（ＰＣ）を想定して説明する。イメージ処理装置２は、ケーブルを介して、画像入力装置３と通信可能に接続されている。また、イメージ処理装置２は、ＬＡＮやＷＡＮ等のネットワーク４を介して、サーバ５と相互に通信可能に接続されている。イメージ処理装置２の詳細な構成については、図２及び図３を参照して後記する。
【００３３】
画像入力装置３は、帳票の画像を光学的に読み取ることによって、帳票のイメージデータを取得する装置である。ここでは、画像入力装置３として、スキャナを想定して説明する。以下、画像入力装置３を「スキャナ３」と称する場合もある。ただし、画像入力装置３は、スキャナ機能を有するＭＦＰ等の装置であってもよい。なお、「ＭＦＰ」とは、Ｍｕｌｔｉ  Ｆｕｎｃｔｉｏｎ  Ｐｅｒｉｐｈｅｒａｌの略称で、プリンタにファクシミリ機能やスキャナ機能、コピー機能等を付加した装置である。
【００３４】
ここでは、スキャナ３は、図示せぬ帳票吸入部にセットされた複数枚の帳票を１枚ずつに分離して搬送する図示せぬ帳票分離搬送手段を備えているものとして説明する。なお、スキャナ３は、好ましくは、帳票のおもて面及びうら面の双方の画像を同時に読み取る構成であるとよい。スキャナ３は、画像入力手段として例えばＣＣＤ（Ｃｈａｒｇｅ  Ｃｏｕｐｌｅｄ  Ｄｅｖｉｃｅ）等の図示せぬ密着型イメージセンサを備えており、帳票分離搬送手段によって帳票吸入部にセットされた複数枚の帳票を１枚ずつに分離して搬送しながら、密着型イメージセンサによって搬送された各帳票のおもて面及びうら面の画像を連続して読み取る。これにより、スキャナ３は、各帳票のおもて面及びうら面のイメージデータを取得する。
【００３５】
スキャナ３によって読み取られる帳票としては、例えば、各種の届け出を申請するための諸届帳票や、投資信託の購入募集に申し込むための投資信託購入募集申込書、外貨預金を申し込むための外貨預金申込書等がある。各帳票は、それぞれ、所定の形式を有している。各帳票の形式は、帳票レイアウト辞書記憶部１４ａ（図３参照）に予め記憶された帳票レイアウト辞書データによって規定されている。
【００３６】
スキャナ３は、各帳票のおもて面及びうら面のイメージデータを取得すると、取得された各帳票のおもて面及びうら面のイメージデータをイメージ処理装置２に順次出力する。これにより、イメージ処理装置２は、スキャナ３から各帳票のおもて面及びうら面のイメージデータを取得する。
【００３７】
イメージ処理装置２は、スキャナ３から取得された各帳票のおもて面及びうら面のイメージデータ（以下、単に「各イメージデータ」と称する場合もある）に対して、予め定められた任意の処理を実行する。ここでは、イメージ処理装置２は、予め定められた任意の処理として、例えば、束切りを行う。また、イメージ処理装置２は、予め定められた任意の処理として、例えば、イメージ保管要否情報記憶部１４ｃ（図３参照）に予め記憶されたイメージ保管要否情報Ｄ１４ｃ（図５参照）に登録された特定の帳票種類の組み合わせパターンに基づいて、各イメージデータの保存の要否を個別に判定する。そして、イメージ処理装置２は、保存が必要であると判定された各イメージデータをサーバ５（図１参照）に送信して、各イメージデータを帳票データベース６（図１参照）に保存させたり、又は、媒体リーダ／ライタ（Ｒ／Ｗ）１５（図３参照）を駆動して、各イメージデータをデータ保存媒体７（図３参照）に保存させたりする。
【００３８】
サーバ５は、ＣＰＵやＭＰＵ等の演算手段、半導体メモリやハードディスクドライブ装置（ＨＤＤ）等の記憶手段、及び、通信インタフェース（Ｉ／Ｏ）を備え、予め定められた任意の処理を行うコンピュータである。ここでは、サーバ５は、イメージ処理装置２から各イメージデータを受信し、受信された各イメージデータを帳票データベース６に保存させるものとして説明する。
【００３９】
帳票データベース６は、帳票のイメージデータを保存する帳票イメージデータ記憶手段である。帳票データベース６は、サーバ５に内蔵された構成であってもよいし、サーバ５から独立した構成であってもよい。
【００４０】
（イメージ処理装置の構成）
以下、図２及び図３を参照して、イメージ処理装置２の構成につき説明する。なお、図２及び図３は、それぞれ、実施形態１に係るイメージ処理装置の構成を示す図である。
【００４１】
図２に示すように、イメージ処理装置２は、パーソナルコンピュータ（ＰＣ）に、イメージ処理装置としての機能を実行するためのプログラムが格納されることによって、実現されている。イメージ処理装置２は、図示せぬ通信インタフェース（Ｉ／Ｏ）、制御部１１、表示部１２、入力部１３、記憶部１４、及び、媒体Ｒ／Ｗ１５を備えている。
【００４２】
制御部１１は、各種の演算を実行する演算手段である。
表示部１２は、ＣＲＴや液晶ディスプレイ等の表示手段である。
入力部１３は、キーボード等の入力手段である。
記憶部１４は、ＲＯＭやＲＡＭ、ＨＤＤ等の記憶手段である。記憶部１４は、イメージ処理装置２全体の動作を制御する制御プログラムや、スキャナ３によって読み取られた帳票の枚数データ、スキャナ３によって読み取られた各帳票のイメージデータ等を記憶する。
媒体Ｒ／Ｗ１５は、各種のデータ（例えば、帳票のイメージデータ）をデータ保存媒体７に書き込んだり、データ保存媒体７から各種のデータを読み出したりする構成要素である。なお、データ保存媒体７は、例えば、ＵＳＢメモリ等のメモリ部材や、ＨＤＤ、ＣＤ−ＲＯＭやＤＶＤ等の光学媒体、フレキシブルディスク等の磁気媒体、その他の形態となっている。
【００４３】
制御部１１は、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）等によって構成されている。
図３に示すように、制御部１１を構成するＣＰＵ（又は、ＭＰＵ）は、主制御部１１ａ、表示制御部１１ｂ、入力制御部１１ｃ、入力装置制御部１１ｄ、帳票識別部１１ｅ、及び、画像管理部１１ｆとして機能している。ＣＰＵは、ＲＯＭに格納された制御プログラムを実行することにより、これらの各機能を実現する。
【００４４】
主制御部１１ａは、イメージ処理装置２全体の動作を制御する機能手段である。
表示制御部１１ｂは、表示部１２の動作を制御する機能手段である。
入力制御部１１ｃは、入力部１３から入力された情報を検出する機能手段である。
入力装置制御部１１ｄは、スキャナ３の動作を制御する機能手段である。入力装置制御部１１ｄは、スキャナ３に各帳票の画像を読み取らせて、スキャナ３から各帳票のイメージデータを取得する。
【００４５】
帳票識別部１１ｅは、帳票のイメージデータから帳票の種類を識別する機能手段である。帳票識別部１１ｅは、帳票レイアウト辞書記憶部１４ａに予め記憶されている、各帳票の罫線特徴情報を使用して、処理対象帳票が主帳票又は特定の添付帳票であるか否かを判別するとともに、処理対象帳票の種類を識別する。
なお、本実施形態１では帳票の罫線特徴情報を用いて帳票の種類を識別するものとして説明するが、帳票の種類を識別する方法は、これに限定されない。帳票の種類を識別する方法は、例えば、シートＩＤによる識別等の、周知の技術を用いて行うようにしてもよい。
【００４６】
画像管理部１１ｆは、各帳票のイメージデータに対する扱いを管理する機能手段である。画像管理部１１ｆは、スキャナ３から複数枚の帳票のイメージデータを連続して取得する場合に、特定の帳票種類の組み合わせパターンの出現を検知し、特定の帳票種類の組み合わせパターンに応じて、各イメージデータの帳票データベース６への保存の要否を判定する。
【００４７】
また、図３に示すように、記憶部１４は、帳票レイアウト辞書記憶部１４ａ、管理テーブル記憶部１４ｂ、イメージ保管要否情報記憶部１４ｃ、及び、イメージデータ記憶部１４ｄに区画されている。
【００４８】
帳票レイアウト辞書記憶部１４ａは、各帳票のレイアウトを規定する帳票レイアウト辞書データを記憶する記憶領域である。帳票レイアウト辞書記憶部１４ａには、帳票レイアウト辞書データとして、主帳票や特定の添付帳票の罫線特徴情報が予め記憶されている。なお、「特定の添付帳票」とは、主帳票との組み合わせパターンによって、特定の処理が規定される帳票を意味している。「特定の添付帳票」の罫線特徴情報は、例えば、束切り位置やイメージデータの保存の要否を判定する場合に、用いられる。
【００４９】
管理テーブル記憶部１４ｂは、処理対象帳票を管理するためのテーブル情報（以下、「管理テーブル情報Ｄ１４ｂ（図４参照）」と称する）を記憶する記憶領域である。
【００５０】
なお、図４は、実施形態１に用いる管理テーブル情報の一例を示す図である。イメージ処理装置２は、例えば、帳票識別部１１ｅによって行われた処理対象帳票の識別結果を、管理テーブル情報Ｄ１４ｂとして管理テーブル記憶部１４ｂに記憶する。図４に示す例では、管理テーブル情報Ｄ１４ｂは、各イメージデータの取得された枚数の順番を表す「ｎ枚目」情報と、おもて面及びうら面等の読み取り面を表す「面」情報と、「主帳票Ａ」や「登録なし（帳票）」等の帳票の識別結果を表す「識別結果」情報と、束切り位置を表す「束先頭判断」情報と、イメージデータの帳票データベース６への保存の要否を表す「保存要否」情報とを含んでいる。
【００５１】
イメージ保管要否情報記憶部１４ｃは、各イメージデータの帳票データベース６への保存の要否を規定する情報（以下、「イメージ保管要否情報Ｄ１４ｃ（図５参照）」と称する）を予め記憶する記憶領域である。
【００５２】
なお、図５は、実施形態１に用いるイメージ保管要否情報の一例を示す図である。図５に示す例では、イメージ保管要否情報Ｄ１４ｃは、以下の（１）〜（４）の情報を含んでいる。
（１）処理対象帳票の種類が「主帳票Ａ」のみからなる組み合わせパターンである場合に、主帳票Ａのおもて面のイメージデータと、後続のｎ枚の添付帳票のすべてのおもて面のイメージデータとを保存する、という情報。
（２）処理対象帳票の種類が「主帳票Ａ＋添付帳票Ｂ」の組み合わせパターンである場合に、主帳票Ａのおもて面のイメージデータと、添付帳票Ｂのおもて面のイメージデータと、添付帳票Ｂのうら面のイメージデータとを保存する（ただし、後続のｎ枚のすべての添付帳票のイメージデータの保存は不要である）、という情報。
（３）処理対象帳票の種類が「主帳票Ａ＋添付帳票Ｃ」の組み合わせパターンである場合に、主帳票Ａのおもて面のイメージデータと、添付帳票Ｂのおもて面のイメージデータと、後続のｎ枚の添付帳票のすべてのおもて面のイメージデータと、後続のｎ枚の添付帳票のすべてのうら面のイメージデータとを保存する、という情報。
（４）処理対象帳票の種類が「主帳票Ｓ」のみからなる組み合わせパターンである場合に、（添付帳票のイメージデータを保存せずに、）主帳票Ｓのおもて面のイメージデータと、主帳票Ｓのうら面のイメージデータとを保存する、という情報。
【００５３】
イメージ処理装置２は、帳票識別部１１ｅが、スキャナ３から複数枚の帳票のイメージデータを連続して取得した場合に、このイメージ保管要否情報Ｄ１４ｃを用いて、特定の帳票種類の組み合わせパターンを検知し、検知された特定の帳票種類の組み合わせパターンに基づいて、各イメージデータの保存の要否を個別に判定する。そして、イメージ処理装置２は、画像管理部１１ｆが、保存が必要であると判定された各イメージデータをサーバ５に送信して、サーバ５に、保存が必要であると判定された各イメージデータを帳票データベース６に保存させる。
【００５４】
イメージデータ記憶部１４ｄは、スキャナ３から取得された各イメージデータを一時的に記憶する記憶領域である。イメージ処理装置２の帳票識別部１１ｅは、イメージデータ記憶部１４ｄに一時的に記憶された各イメージデータを対象にして、各イメージデータの保存の要否を個別に判定する。また、イメージ処理装置２の画像管理部１１ｆは、イメージデータ記憶部１４ｄから帳票識別部１１ｅによって保存が必要であると判定された各イメージデータを読み出して、サーバ５に送信する。
【００５５】
＜イメージ処理装置の動作＞
例えば、図５に示すように、複数の帳票の組み合わせ（例えば、主帳票Ａ＋添付帳票Ｂ、主帳票Ａ＋添付帳票Ｃ）によって、イメージデータの保存パターンが異なる要件があるとする。
【００５６】
従来の第２イメージ処理装置は、「主帳票とその添付帳票」という判断しかできないため、イメージデータの保存パターンを変えることができない。その結果、従来の第２イメージ処理装置は、図１０Ａ及び図１０Ｂの欄ＣＬ９１及び欄ＣＬ９２に示す順で、各処理対象帳票のイメージデータを取得した場合に、イメージデータの保存の要否（「画像保存要否」）の判定結果が図１０Ａ〜図１０Ｃの欄ＣＬ９３に示す状態となり、要求されている図１０Ｂの欄ＣＬ９４に示す状態又は図１０Ｃの欄ＣＬ９５に示す状態で、各イメージデータを保存することができない。
【００５７】
これに対して、本実施形態１に係るイメージ処理装置２は、図５に示す要件を、イメージ保管要否情報Ｄ１４ｃとして、イメージ保管要否情報記憶部１４ｃ（図３参照）に予め記憶しておき、複数枚の帳票のイメージデータを連続して取得する場合に、このイメージ保管要否情報Ｄ１４ｃを用いて、特定の帳票種類の組み合わせパターンを検知し、検知された特定の帳票種類の組み合わせパターンに基づいて、各イメージデータの保存の要否を個別に判定する。その結果、イメージ処理装置２は、図１０Ａ及び図１０Ｂの欄ＣＬ９１及び欄ＣＬ９２に示す順で、各処理対象帳票のイメージデータを取得した場合に、イメージデータの保存の要否（「画像保存要否」）の判定結果が図１０Ｂの欄ＣＬ９４に示す状態又は図１０Ｃの欄ＣＬ９５に示す状態となる。したがって、イメージ処理装置２は、イメージデータの保存パターンを変えることができ、要求されている図１０Ｂの欄ＣＬ９４に示す状態又は図１０Ｃの欄ＣＬ９５に示す状態で、各イメージデータを保存することができる。
【００５８】
（イメージデータの保存を行う場合の動作）
以下、図３、並びに、図６Ａ及び図６Ｂを参照して、イメージデータの保存処理を行う場合のイメージ処理装置２の動作につき説明する。図６Ａ及び図６Ｂは、それぞれ、実施形態１に係るイメージ処理装置の動作を示すフローチャートである。
【００５９】
なお、イメージ処理装置２は、図示せぬタイマによって計測された時間に基づいて動作する。また、イメージ処理装置２の動作は、記憶部１４に読み出し自在に予め格納されたプログラムによって規定されており、制御部１１によって実行される。また、装置間の通信は、受信側の装置が通信によって受信されたデータを記憶部に一旦格納し、その後に、データを記憶部から読み出すことによって、行われる。また、各データは、記憶部に読み出し自在に一旦格納されてから、その後の処理を行う所要の構成要素に出力される。以下、これらの点については、情報処理では常套手段であるので、その詳細な説明を省略する。
【００６０】
イメージ処理装置２のオペレータは、処理対象（認識対象）となっているすべての帳票を、イメージ処理装置２に接続されたスキャナ３の図示せぬ帳票吸入部にセットし、イメージ処理装置２を操作して、スキャナ３に画像の読み取りを指示する。このとき、イメージ処理装置２は、入力装置制御部１１ｄが、画像の読み取り指示命令をスキャナ３に出力する。これに応答して、スキャナ３は、セットされた各帳票のおもて面及びうら面の画像を読み取り、読み取られた各イメージデータをイメージ処理装置２に順次出力する。その結果、イメージ処理装置２は、図１０Ｂ及び図１０Ｃの欄ＣＬ９１に示すように、各帳票のおもて面及びうら面のイメージデータを取得する（Ｓ２０５）。なお、このとき、イメージ処理装置２は、帳票のおもて面とうら面とを区別するための情報もスキャナ３から取得する。
【００６１】
イメージ処理装置２は、スキャナ３から各帳票のおもて面及びうら面のイメージデータを取得すると、入力装置制御部１１ｄ（又は、画像管理部１１ｆ）が、取得された各帳票のおもて面及びうら面のイメージデータをイメージデータ記憶部１４ｄに一時的に記憶する。イメージ処理装置２は、各帳票のおもて面及びうら面のイメージデータをイメージデータ記憶部１４ｄに記憶すると、画像管理部１１ｆが、読み取られた帳票の枚数（Ｎ）を管理テーブル記憶部１４ｂに記憶するとともに、読み取られた帳票群のイメージデータを識別するための束管理番号の初期値（Ｐ）を管理テーブル記憶部１４ｂに記憶する（Ｓ２１０）。
【００６２】
Ｓ２１０の後、イメージ処理装置２は、画像管理部１１ｆが、処理対象帳票の残り枚数（Ｎ）が「０」であるか否かを判定する（Ｓ２１５）。Ｓ２１５の判定で、処理対象帳票の残り枚数（Ｎ）が「０」であると判定された場合（“Ｎ＝０”の場合）に、処理は、「Ａ」を介して図６Ｂに示すＳ３０５に進む。一方、Ｓ２１５の判定で、処理対象帳票の残り枚数（Ｎ）が「０」でないと判定された場合（“Ｎ≠０”の場合）に、処理は、Ｓ２２０に進む。
【００６３】
Ｓ２１５の判定で、処理対象帳票の残り枚数（Ｎ）が「０」でないと判定された場合（“Ｎ≠０”の場合）に、イメージ処理装置２は、帳票識別部１１ｅが、帳票識別を行う（Ｓ２２０）。具体的には、帳票識別部１１ｅは、処理対象帳票のイメージデータと、帳票レイアウト辞書データとして帳票レイアウト辞書記憶部１４ａに予め記憶された各主帳票や特定の添付帳票（例えば、添付帳票Ｂや添付帳票Ｃ等）の罫線特徴情報とを照合する。これによって、帳票識別部１１ｅは、処理対象帳票のイメージデータが主帳票又は特定の添付帳票のイメージデータであるか否かを判定し、さらに、処理対象帳票のイメージデータが主帳票又は特定の添付帳票のイメージデータである場合に、処理対象帳票の種類を識別する。
【００６４】
Ｓ２２０の後、イメージ処理装置２は、帳票識別部１１ｅが、帳票識別の結果から、処理対象帳票のイメージデータが主帳票又は特定の添付帳票であるか否かを判定する（Ｓ２２５）。
【００６５】
Ｓ２２５の判定で、処理対象帳票のイメージデータが主帳票又は特定の添付帳票であると判定された場合（“Ｙｅｓ”の場合）に、イメージ処理装置２は、帳票識別部１１ｅが、管理テーブル記憶部１４ｂに、帳票識別の結果（特に、識別された処理対象帳票の種類）を管理テーブル情報Ｄ１４ｂ（図４参照）の一情報として記録する（Ｓ２３０）。
【００６６】
一方、Ｓ２２５の判定で、処理対象帳票のイメージデータが主帳票又は特定の添付帳票でないと判定された場合（“Ｎｏ”の場合）に、イメージ処理装置２は、帳票識別部１１ｅが、管理テーブル記憶部１４ｂに、帳票識別の結果（特に、識別された処理対象帳票の種類が「未登録」であることを表す情報）を管理テーブル情報Ｄ１４ｂ（図４参照）の一情報として記録する（Ｓ２３５）。
【００６７】
Ｓ２３０又はＳ２３５の後、イメージ処理装置２は、画像管理部１１ｆが、処理中のイメージデータが帳票のうら面のイメージデータであるか否かを判定する（Ｓ２４０）。
【００６８】
Ｓ２４０の判定で、処理中のイメージデータが帳票のうら面のイメージデータであると判定された場合（“Ｙｅｓ”の場合）に、イメージ処理装置２は、画像管理部１１ｆが、管理テーブル記憶部１４ｂに記憶された処理対象帳票の残り枚数（Ｎ）を（Ｎ−１）に更新し（Ｓ２４５）、処理対象帳票の残り枚数（Ｎ−１）を管理テーブル記憶部１４ｂに記憶する。
【００６９】
Ｓ２４５の後、又は、Ｓ２４０の判定で、処理中のイメージデータが帳票のうら面のイメージデータでない（すなわち、処理中のイメージデータが帳票のおもて面のイメージデータである）と判定された場合（“Ｎｏ”の場合）に、処理は、Ｓ２１５に戻る。その結果、イメージ処理装置２は、後続のイメージデータを認識対象としてＳ２１５以降の処理を行う。
【００７０】
なお、前記した通り、Ｓ２１５の判定で、処理対象帳票の残り枚数（Ｎ）が「０」であると判定された場合（“Ｎ＝０”の場合）に、処理は、「Ａ」を介して図６Ｂに示すＳ３０５に進む。ここで、「処理対象帳票の残り枚数（Ｎ）が「０」であると判定された場合（“Ｎ＝０”の場合）」とは、スキャナ３から取得されたすべてのイメージデータの管理テーブル情報Ｄ１４ｂ（図４参照）が管理テーブル記憶部１４ｂに登録し終えた状態を意味する。この場合に、図６Ｂに示すように、イメージ処理装置２は、画像管理部１１ｆ（又は、帳票識別部１１ｅ）が、イメージ保管要否情報記憶部１４ｃに予め記憶されたイメージ保管要否情報Ｄ１４ｃ（図５参照）に基づいて、束切り位置を判断し、管理テーブル記憶部１４ｂに、判断された束切り位置を表す情報（すなわち、束先頭判断情報）を管理テーブル情報Ｄ１４ｂ（図４参照）の一情報として記録する（Ｓ３０５）。
【００７１】
イメージ処理装置２は、管理テーブル記憶部１４ｂに「束切り情報」を設定すると、画像管理部１１ｆが、読み取られた帳票の枚数（Ｎ）を管理テーブル記憶部１４ｂに記憶するとともに、読み取られた帳票群のイメージデータを識別するための束管理番号の初期値（Ｐ＝０）を管理テーブル記憶部１４ｂに記憶する（Ｓ３１０）。
【００７２】
Ｓ３１０の後、イメージ処理装置２は、画像管理部１１ｆが、処理対象帳票の残り枚数（Ｎ）が「０」であるか否かを判定し（Ｓ３１５）、もって、処理する帳票が終了したか否かを判定する。Ｓ３１５の判定で、処理対象帳票の残り枚数（Ｎ）が「０」であると判定された場合（“Ｎ＝０”の場合）に、処理は、終了となる。一方、Ｓ３１５の判定で、処理対象帳票の残り枚数（Ｎ）が「０」でないと判定された場合（“Ｎ≠０”の場合）に、処理は、Ｓ３２０に進む。
【００７３】
Ｓ３１５の判定で、処理対象帳票の残り枚数（Ｎ）が「０」でないと判定された場合（“Ｎ≠０”の場合）に、イメージ処理装置２は、画像管理部１１ｆ（又は、帳票識別部１１ｅ）が、処理中のイメージデータが束切り位置となるイメージデータであるか否かを判定する（Ｓ３２０）。Ｓ３２０の判定で、処理中のイメージデータが束切り位置となるイメージデータであると判定された場合（“Ｙｅｓ”の場合）に、処理は、Ｓ３２５に進む。一方、処理中のイメージデータが束切り位置となるイメージデータでないと判定された場合（“Ｎｏ”の場合）に、処理は、Ｓ３４０に進む。
【００７４】
Ｓ３２０の判定で、処理中のイメージデータが束切り位置となるイメージデータであると判定された場合（“Ｙｅｓ”の場合）に、イメージ処理装置２は、画像管理部１１ｆが、読み取られた帳票群に付与された束管理番号（Ｐ）を（Ｐ＋１）に更新し（Ｓ３２５）、束管理番号（Ｐ＋１）を管理テーブル記憶部１４ｂに記憶する。
【００７５】
Ｓ３２５の後、イメージ処理装置２は、画像管理部１１ｆが、管理テーブル記憶部１４ｂに記憶された管理テーブル情報Ｄ１４ｂ（図４参照）の中に特定の帳票種類の組み合わせパターンがあるか否かを判定し、もって、各イメージデータの保存の要否を判定する（Ｓ３３０）。具体的には、画像管理部１１ｆは、管理テーブル記憶部１４ｂに記憶された管理テーブル情報Ｄ１４ｂ（図４参照）を参照して特定の帳票種類の組み合わせパターンの出現を検知し、イメージ保管要否情報記憶部１４ｃに記憶されたイメージ保管要否情報Ｄ１４ｃ（図５参照）に基づいて、検知された特定の帳票種類の組み合わせパターンに応じて、各イメージデータの保存の要否を判定する。
【００７６】
Ｓ３３０の判定で、特定の帳票種類の組み合わせパターンがあると判定された場合（“Ｙｅｓ”の場合）に、イメージ処理装置２は、画像管理部１１ｆが、検知された特定の帳票種類の組み合わせパターンに応じて、イメージデータ記憶部１４ｄから、保存が必要であると判定されたイメージデータを読み出し、読み出されたイメージデータをサーバ５に送信する。これにより、イメージ処理装置２は、サーバ５に、保存が必要であると判定されたイメージデータを帳票データベース６に保存させる（Ｓ３３５）。この後、処理は、Ｓ３５０に進む。そして、イメージ処理装置２は、処理中のイメージデータが帳票のうら面のイメージデータであるか否かを判定する（Ｓ３５０）。
【００７７】
一方、Ｓ３３０の判定で、特定の帳票種類の組み合わせパターンがないと判定された場合（“Ｎｏ”の場合）に、イメージ処理装置２は、Ｓ３３５の処理（「画像保存（イメージデータの保存）」処理）を行うことなく、画像管理部１１ｆが、処理中のイメージデータが帳票のうら面のイメージデータであるか否かを判定する（Ｓ３５０）。
【００７８】
また、Ｓ３２０の判定で、処理中のイメージデータが束切り位置となるイメージデータでないと判定された場合（“Ｎｏ”の場合）に、イメージ処理装置２は、画像管理部１１ｆが、Ｓ３３０の処理と同様に、管理テーブル記憶部１４ｂに記憶された管理テーブル情報Ｄ１４ｂ（図４参照）の中に特定の帳票種類の組み合わせパターンがあるか否かを判定し、もって、各イメージデータの保存の要否を判定する（Ｓ３４０）。
【００７９】
Ｓ３４０の判定で、特定の帳票種類の組み合わせパターンがあると判定された場合（“Ｙｅｓ”の場合）に、イメージ処理装置２は、Ｓ３３５の処理と同様に、画像管理部１１ｆが、検知された特定の帳票種類の組み合わせパターンに応じて、イメージデータ記憶部１４ｄから、保存が必要であると判定されたイメージデータを読み出し、読み出されたイメージデータをサーバ５に送信する。これにより、イメージ処理装置２は、サーバ５に、保存が必要であると判定されたイメージデータを帳票データベース６に保存させる（Ｓ３４５）。この後、処理は、Ｓ３５０に進む。そして、イメージ処理装置２は、処理中のイメージデータが帳票のうら面のイメージデータであるか否かを判定する（Ｓ３５０）。
【００８０】
一方、Ｓ３４０の判定で、特定の帳票種類の組み合わせパターンがないと判定された場合（“Ｎｏ”の場合）に、イメージ処理装置２は、Ｓ３３５の処理（「画像保存（イメージデータの保存）」処理）を行うことなく、画像管理部１１ｆが、処理中のイメージデータが帳票のうら面のイメージデータであるか否かを判定する（Ｓ３５０）。
【００８１】
Ｓ３５０の判定で、処理中のイメージデータが帳票のうら面のイメージデータであると判定された場合（“Ｙｅｓ”の場合）に、イメージ処理装置２は、画像管理部１１ｆが、管理テーブル記憶部１４ｂに記憶された処理対象帳票の残り枚数（Ｎ）を（Ｎ−１）に更新し（Ｓ３５５）、処理対象帳票の残り枚数（Ｎ−１）を管理テーブル記憶部１４ｂに記憶する。
【００８２】
Ｓ３５５の後、又は、Ｓ３５０の判定で、処理中のイメージデータが帳票のうら面のイメージデータでないと判定された場合（“Ｎｏ”の場合）に、処理は、Ｓ３１５に戻る。その結果、イメージ処理装置２は、後続のイメージデータを認識対象としてＳ３１５以降の処理を行う。
このようにして、イメージ処理装置２は、イメージデータの保存処理を行う。
【００８３】
この「イメージデータの保存処理」では、以下の要点を備えている。
まず、イメージ処理装置２のオペレータは、スキャナ３を用いて、処理対象帳票のすべてのおもて面の画像及びうら面の画像のイメージデータの取得作業を行う（図６ＡのＳ２０５参照）。
【００８４】
イメージデータの取得後に、イメージ処理装置２は、帳票識別部１１ｅが、図６ＡのＳ２２０の「帳票識別」処理によって、帳票レイアウト辞書データに登録されている罫線特徴情報を使用して、処理対象帳票が「主帳票」又は「特定の添付帳票」であるか否かを判定し、また、「主帳票」及び「特定の添付帳票」の種類を識別する。
【００８５】
処理対象帳票が「主帳票」又は「特定の添付帳票」である場合に、帳票識別部１１ｅは、図６ＡのＳ２３０の処理によって、その種類を管理テーブル情報Ｄ１４ｂの一情報として記録する。
【００８６】
一方、処理対象帳票が「主帳票」又は「特定の添付帳票」でない場合に、帳票識別部１１ｅは、図６ＡのＳ２３５の処理によって、識別された処理対象帳票の種類が「未登録」であることを表す情報を管理テーブル情報Ｄ１４ｂの一情報として記録する。
【００８７】
また、イメージ処理装置２は、スキャナ３から取得されたすべてのイメージデータの管理テーブル情報Ｄ１４ｂが管理テーブル記憶部１４ｂに登録し終えたら、画像管理部１１ｆが、図６ＢのＳ３０５の処理によって、イメージ保管要否情報Ｄ１４ｃ（図５参照）に基づいて、束切り位置を判断し、束先頭判断情報を管理テーブル情報Ｄ１４ｂ（図４参照）の一情報として記録する。
【００８８】
その後、イメージ処理装置２は、画像管理部１１ｆが、図６ＢのＳ３３０又はＳ３４０で、管理テーブル情報Ｄ１４ｂの内容に従って、各イメージデータの保存の要否を判定し、図６ＢのＳ３３５又はＳ３４５で、保存が必要であると判定されたイメージデータをサーバ５に送信して、サーバ５に、保存が必要であると判定されたイメージデータを帳票データベース６に保存させる。
【００８９】
その結果、イメージ処理装置２は、特定の帳票種類の組み合わせパターンに応じて、例えば、図１０Ｂの欄ＣＬ９４に示す保存パターン、又は、図１０Ｃの欄ＣＬ９５に示す保存パターンで、各イメージデータを帳票データベース６に保存させることができる。
【００９０】
このようなイメージ処理装置２は、特許文献１に開示された従来の第１イメージ処理装置と異なり、マークを帳票に記載しないため、従来の第１イメージ処理装置の課題を解決することができる。また、イメージ処理装置２は、特許文献１に開示された従来の第２イメージ処理装置と異なり、保存パターンが固定されていないため、従来の第２イメージ処理装置の課題も解決することができる。
【００９１】
以上の通り、本実施形態１に係るイメージ処理装置２よれば、スキャナ３から複数枚の帳票のイメージデータを連続して取得する場合に、特定の帳票種類の組み合わせパターンに応じて、各イメージデータの保存パターンを変更し、これによって、効率の良いイメージデータの保存を行うことができる。
【００９２】
［実施形態２］
本実施形態２は、スキャナ３から複数枚の帳票のイメージデータが連続して取得される場合に、画像管理部１１ｆが、特定の帳票種類の組み合わせパターンの出現を検知し、特定の帳票種類の組み合わせパターンに応じて、各種アプリケーションプログラムによって次に実行される後続処理を選択して、実行中の処理を後続処理に切り替えることを特徴とする。
【００９３】
図７は、実施形態２に係るイメージ処理装置の構成を示す図である。
図７に示すように、本実施形態２に係るイメージ処理装置２ａは、実施形態１に係るイメージ処理装置２（図３参照）と比較すると、イメージ保管要否情報記憶部１１ｃの代わりに、後続処理設定記憶部１４ｅを有している点で、相違している。
【００９４】
後続処理設定記憶部１４ｅは、特定の帳票種類の組み合わせパターンに応じて後続処理を規定する情報（以下、「後続処理設定情報Ｄ１４ｅ（図８参照）」と称する）を予め記憶する記憶領域である。
【００９５】
なお、図８は、実施形態２に用いる後続処理設定情報の一例を示す図である。図８に示す例では、後続処理設定情報Ｄ１４ｅは、以下の（１）〜（４）の情報を含んでいる。ここでは、主帳票Ａを当該金融機関のポイントクラブメンバー登録申込書、添付帳票Ｂを当該金融機関と提携するＸ社のクレジットカード申込書、添付帳票Ｃを当該金融機関と提携するＹ社のクレジットカード申込書、主帳票Ｓをこれら以外の主帳票として説明する。
（１）処理対象帳票の種類が「主帳票Ａ」のみからなる組み合わせパターンである場合に、「ポイントクラブへの登録処理のみ実施」、という情報。
（２）処理対象帳票の種類が「主帳票Ａ＋添付帳票Ｂ」の組み合わせパターンである場合に、「ポイントクラブ登録処理の実施、及び、主帳票Ａに記載の情報を引き継いで、提携するＸ社のカード申し込み画面の表示」、という情報。
（３）処理対象帳票の種類が「主帳票Ａ＋添付帳票Ｃ」の組み合わせパターンである場合に、「ポイントクラブ登録処理の実施、及び、主帳票Ａに記載の情報を引き継いで、提携するＹ社のカード申し込み画面の表示」、という情報。
（４）処理対象帳票の種類が「主帳票Ｓ」のみからなる組み合わせパターンである場合に、「後続処理として何も選択せず」、という情報。
なお、後続処理設定情報Ｄ１４ｅは、運用に応じて適宜設定することができる。
【００９６】
イメージ処理装置２ａは、スキャナ３から各帳票のイメージデータを取得すると、画像管理部１１ｆが、取得された各帳票のイメージデータと管理テーブル記憶部１４ｂに記憶された管理テーブル情報Ｄ１４ｂ（図４参照）とを比較して、特定の帳票の組み合わせが出現しているか否かを判定する。特定の帳票の組み合わせが出現している場合に、画像管理部１１ｆは、後続処理設定記憶部１４ｅに予め記憶された後続処理設定情報Ｄ１４ｅによって規定された「後続処理」を選択し、実行中の処理を後続処理に切り替える。
【００９７】
「後続処理」は、例えば、想定される後続処理の種類毎に、各後続処理を実行するためのアプリケーションプログラムを記憶部１４（具体的には、後続処理設定記憶部１４ｅ又は図示せぬ記憶領域）に予め用意しておき、制御部１１（具体的には、画像管理部１１ｆ又は図示せぬ機能手段）が、選択された後続処理の種類に応じて対応するアプリケーションプログラムを実行することにより、行われる。
【００９８】
なお、「後続処理」は、イメージ処理装置２ａ以外の装置（例えば、サーバ５）によって行われてもよい。この場合に、後続処理を実行する装置は、後続処理を実行するためのアプリケーションプログラムを記憶部に予め用意しており、イメージ処理装置２ａは、後続処理を実行する装置に、後続処理の実行命令を送信することによって、その装置に後続処理を実行させる構成となる。
【００９９】
また、イメージ処理装置２ａは、オペレータが画像を参照しながら行うデータエントリ処理や、光学文字認識装置（ＯＣＲ装置）が文字認識したデータを登録するデータエントリ処理を「後続処理」として、設定することもできる。
【０１００】
以上の通り、本実施形態２に係るイメージ処理装置２ａによれば、スキャナ３から複数枚の帳票のイメージデータが連続して取得される場合に、特定の帳票種類の組み合わせパターンに応じて、各種アプリケーションプログラムによって次に実行される後続処理を選択して、実行中の処理を後続処理に切り替えることができる。
【０１０１】
本発明は、前記した実施形態に限定されることなく、本発明の要旨を逸脱しない範囲で種々の変更や変形を行うことができる。
例えば、実施形態１に係るイメージ処理装置２と実施形態２に係るイメージ処理装置２ａとを一つの装置に統合することができる。
また、前記した実施形態１及び実施形態２では、イメージ処理装置２，２ａは、帳票のおもて面及びうら面の双方のイメージデータを用いて、帳票識別等の後続の処理を行うようにしているが、おもて面及びうら面のいずれか一方のみのイメージデータを用いて、後続の処理を行うようにしてもよい。
【符号の説明】
【０１０２】
１    イメージ処理システム
２，２ａ    イメージ処理装置（ＰＣ）
３    画像入力装置（スキャナ）
４    ネットワーク
５    サーバ
６    帳票データベース
７    データ保存媒体
１１    制御部
１１ａ    主制御部
１１ｂ    表示制御部
１１ｃ    入力制御部
１１ｄ    入力装置制御部
１１ｅ    帳票識別部
１１ｆ    画像管理部
１２    表示部
１３    入力部
１４    記憶部
１４ａ    帳票レイアウト辞書記憶部
１４ｂ    管理テーブル記憶部
１４ｃ    イメージ保管要否情報記憶部
１４ｄ    イメージデータ記憶部
１４ｅ    後続処理設定記憶部
１５    媒体Ｒ／Ｗ
ｂｕ１，ｂｕ２，Ｂｕ１，Ｂｕ２    束
Ｄ１４ｂ    管理テーブル情報
Ｄ１４ｃ    イメージ保管要否情報
Ｄ１４ｅ    後続処理設定情報
【図１】
2012043008.tif 000003
【図２】
2012043008.tif 000004
【図３】
2012043008.tif 000005
【図４】
2012043008.tif 000006
【図５】
2012043008.tif 000007
【図６Ａ】
2012043008.tif 000008
【図６Ｂ】
2012043008.tif 000009
【図７】
2012043008.tif 000010
【図８】
2012043008.tif 000011
【図９】
2012043008.tif 000012
【図１０Ａ】
2012043008.tif 000013
【図１０Ｂ】
2012043008.tif 000014
【図１０Ｃ】
2012043008.tif 000015